(57)【特許請求の範囲】
【請求項１】
現在行われている検査に必要なアプリケーションを選定する選定手段と、
前記選定手段により選定された前記アプリケーションと、起動中のアプリケーションとの関連の深さを取得する関連の深さ取得手段と、
前記選定手段により選定された前記アプリケーションの進捗状況を取得する進捗状況取得手段と、
前記選定手段により選定された前記アプリケーションのアイコンを、前記関連の深さ取得手段により取得された前記関連の深さに応じて配置するとともに、前記進捗状況取得手段により取得された前記進捗状況を前記アイコン上に視覚的に表示する表示手段と
を備えることを特徴とする医用画像診断装置。
【請求項２】
現在行われている前記検査の画面上で所定の操作が行われたことを検出する検出手段をさらに備え、
前記選定手段は、前記検出手段により前記所定の操作が行われたことが検出されたとき、現在行われている検査に必要なアプリケーションを選定し、
前記関連の深さ取得手段は、前記選定手段により選定されたアプリケーションと、前記検出手段により前記所定の操作が行われたことが検出されたときに起動しているアプリケーションとの関連の深さを表す情報を取得する
ことを特徴とする請求項１に記載の医用画像診断装置。
【請求項３】
前記表示手段は、前記検出手段により前記所定の操作が行われたことが検出されたときに起動しているアプリケーションのアイコンを画面中心に配置し、その周囲に、前記選定手段により選定されたアプリケーションのアイコンを、前記関連の深さに応じて配置する
ことを特徴とする請求項２に記載の医用画像診断装置。
【請求項４】
現在行われている検査に必要なアプリケーションを選定する選定ステップと、
前記選定ステップにより選定された前記アプリケーションと、起動中のアプリケーションとの関連の深さを取得する関連の深さ取得ステップと、
前記選定ステップにより選定された前記アプリケーションの進捗状況を取得する進捗状況取得ステップと、
前記選定ステップにより選定された前記アプリケーションのアイコンを、前記関連の深さ取得ステップにより取得された前記関連の深さに応じて配置するとともに、前記進捗状況取得ステップにより取得された前記進捗状況を前記アイコン上に視覚的に表示する表示ステップと
を医用画像診断装置が備えるコンピュータに実行させることを特徴とする制御プログラム。
【発明の詳細な説明】
【技術分野】
【０００１】
本発明は、医用画像診断装置およびその制御プログラムに関し、特に、検査に必要なアプリケーションのアイコンの配置を制御するとともに、アプリケーションの進捗状況を視覚的に表示することができる医用画像診断装置およびその制御プログラムに関する。
【背景技術】
【０００２】
従来、医用画像診断装置において、ある患者の検査の中で一連のアプリケーション（ジョブ）を処理する技術がある。一連のアプリケーションには、画像の収集を行うためのアプリケーション、患部の計測を行うためのアプリケーション、メディアへの保存を行うためのアプリケーションなどがある。アプリケーションの数や種類は、患者の検査内容によって異なる。
【０００３】
各アプリケーションの進捗状況を管理するためには、例えば、進捗管理ツールが使用される。この進捗管理ツールは、現在起動中のアプリケーション、次に起動するアプリケーションをワークフローとして表示するものである。が、複数のアプリケーションを制御するようなものではない。
【０００４】
また例えば、特許文献１には、画面選択スイッチを選択して、目的の操作画面を表示させることにより、アプリケーションを管理する技術が提案されている。
【特許文献１】特開２００１−２５４５６号公報
【発明の開示】
【発明が解決しようとする課題】
【０００５】
しかしながら、進捗管理ツールでは、アプリケーションの数が多くなるに従ってアプリケーションの切り替えが多くなり、検査全体の進捗状況を把握することができない課題があった。
【０００６】
また進捗管理ツールを確認する手段と、アプリケーションを切り替える手段は、それぞれ独立しており、操作性が悪い課題があった。
【０００７】
さらに特許文献１では、操作画面の切り替えを行うことができるものの、全てのアプリケーションの進捗状況を一目で管理することができず、現在行っているアプリケーションに対して次に行うべきアプリケーションがどれであるかを判断することができない課題があった。
【０００８】
本発明はこのような状況に鑑みてなされたものであり、その目的は、検査に必要な全てのアプリケーションを一目で把握することができるように表示するとともにアプリケーションをある特定のアプリケーションを基準としてそのアプリケーションとの関連の深さに応じて配置し、さらに、表示されたアプリケーションからはその進捗状況が視覚的に把握できるようにした医用画像診断装置およびその制御プログラムを提供することである。
【課題を解決するための手段】
【０００９】
請求項１記載の本発明の実施の形態に係る第１の特徴は、現在行われている検査に必要なアプリケーションを選定する選定手段と、選定手段により選定されたアプリケーションと、起動中のアプリケーションとの関連の深さを取得する関連の深さ取得手段と、選定手段により選定されたアプリケーションの進捗状況を取得する進捗状況取得手段と、選定手段により選定されたアプリケーションのアイコンを、関連の深さ取得手段により取得された関連の深さに応じて配置するとともに、進捗状況取得手段により取得された進捗状況をアイコン上に視覚的に表示する表示手段とを備える。
【００１０】
請求項４記載の本発明の実施の形態に係る第２の特徴は、現在行われている検査に必要なアプリケーションを選定する選定ステップと、選定ステップにより選定されたアプリケーションと、起動中のアプリケーションとの関連の深さを取得する関連の深さ取得ステップと、選定ステップにより選定されたアプリケーションの進捗状況を取得する進捗状況取得ステップと、選定ステップにより選定されたアプリケーションのアイコンを、関連の深さ取得ステップにより取得された関連の深さに応じて配置するとともに、進捗状況取得ステップにより取得された進捗状況をアイコン上に視覚的に表示する表示ステップとを医用画像診断装置が備えるコンピュータに実行させることを特徴とする。
【発明の効果】
【００１１】
本発明によれば、検査に必要な全てのアプリケーションを一目で把握することができるように表示するとともにアプリケーションをある特定のアプリケーションを基準としてそのアプリケーションとの関連の深さに応じて配置し、さらに、表示されたアプリケーションからはその進捗状況が視覚的に把握できるようにした医用画像診断装置およびその制御プログラムを提供することができる。
【発明を実施するための最良の形態】
【００１２】
以下、本発明の実施の形態について図面を参照して詳細に説明する。
【００１３】
図１は、本発明に係る医用画像診断装置１の構成例を示す図である。この医用画像診断装置１は、CPU(Central Processing Unit)１ａ、ROM（Read Only Memory）１ｂ、RAM（Random Access Memory）１ｃ、および入出力インターフェイス１ｄが、バス１ｅを介して接続されている。入出力インターフェイス１ｄには、記憶部１ｆ、通信部１ｇ、表示部１ｈ、入力部１ｉ、およびリムーバブルディスク１ｊが接続されている。
【００１４】
CPU１ａは、入力部１ｉからの入力信号に基づいて医用画像診断装置１を起動するためのブートプログラムをROM１ｂから読み出して実行し、記憶部１ｆに格納されている各種オペレーティングシステムを読み出す。またCPU１ａは、入力部１ｉからの入力信号に基づいて各種の制御を行ったり、ROM１ｂや記憶部１ｆに記憶されたプログラムおよびデータを読み出してRAM１ｃにロードしたり、あるいはRAM１ｃから読み出されたプログラムのコマンドに基づいて、データ演算または加工などの一連の処理を実行する。
【００１５】
記憶部１ｆは、半導体メモリや磁気ディスクなどで構成されており、CPU１ａで実行されるプログラムやデータを記憶する。記憶部１ｆには、CPU１ａが実行するプログラムとして、例えば、現在行われている検査に必要なアプリケーションの進捗状況を管理し、そのアプリケーションをアイコンで視覚的に表示部１ｈに表示させるためのアプリケーションが用意される。以下、適宜、各アプリケーションの進捗状況を管理し、それらアプリケーションをアイコンで視覚的に表示させるこのアプリケーションを進捗管理アプリケーションという。
【００１６】
アプリケーションとは、基本ＯＳに対応する応用プログラムのことである。ここではその例として、例えば、虚血性心疾患の検査として断層像の収集を行うためのストレスエコー収集アプリケーション、観察用の検査Viewerアプリケーション、収集した断層像をメディアに保存するためのメディア保存アプリケーション、患部の大きさや体表からの深さを計測するための通常計測アプリケーション、検査後のレポートを作成するためのレポート作成アプリケーション、患者情報の他の装置への転送を行うための患者情報転送アプリケーション、検査予約を行うための検査予約アプリケーション、検査後の断層像を印刷するための印刷アプリケーション、心機能などの計測のためのストレス計測アプリケーション、および患者の撮影予約を行うための撮影予約アプリケーション等を挙げることができる。
【００１７】
通信部１ｇは、LAN（Local Area Network）カードやモデムなどで構成されており、医用画像診断装置１をローカルエリアネットワークやインターネットといった通信媒体に接続することを可能にする。すなわち通信部１ｇは、通信媒体から受信したデータを、入出力インターフェイス１ｄおよびバス１ｅを介してCPU１ａに送信し、CPU１ａからバス１ｅおよび入出力インターフェイス１ｄを介して受信したデータを、通信媒体に送信する。
【００１８】
表示部１ｈは、例えば液晶ディスプレイであり、CPU１ａからバス１ｅおよび入出力インターフェイス１ｄを介して受信した信号に基づいて、CPU１ａの処理結果などを表示する。
【００１９】
入力部１ｉは、医用画像診断装置１の操作者が各種の操作を入力するキーボードやマウスなどの入力デバイスにより構成されており、操作者の操作に基づいて入力信号を生成し、入出力インターフェイス１ｄおよびバス１ｅを介してCPU１ａに送信する。
【００２０】
リムーバブルディスク１ｊは、例えば光ディスクやフレキシブルディスクなどであり、図示せぬディスクドライブによって読み出されたデータが、入出力インターフェイス１ｄおよびバス１ｅを介してCPU１ａに送信され、CPU１ａからバス１ｅおよび入出力インターフェイス１ｄを介して受信したデータが、ディスクドライブによって書き込まれる。
【００２１】
図２は、医用画像診断装置１の機能構成例を示すブロック図である。図２に示す機能部のうちの少なくとも一部は、図１のCPU１ａにより進捗管理アプリケーションが実行されることによって実現される。
【００２２】
操作検出部２は、検査画面上で入力部１ｉのマウスのホイールボタンの長押しが行われたことを検出したとき、検出結果をアプリケーション選定部３に出力する。マウスのホイールボタンとは、マウスの左ボタンと右ボタンの間にある円盤状の部材のことであり、これを回したり、あるいは、これを押しながらマウス本体を移動したりすることによってウィンドウをスクロールすることができる。
【００２３】
なお、以下、本発明の実施の形態を説明する際には、操作者の操作を検出するきっかけとしてマウスのホイールボタンによる操作を例に挙げるが、このきっかけとなる操作の設定は自由に行うことができ、特にホイールボタンによる操作に限られない。
【００２４】
アプリケーション選定部３は、マウスのホイールボタンの長押しが行われたことが操作検出部２により検出されると、現在行われている検査に必要なアプリケーションを選定し、選定したアプリケーションの情報（アプリケーション名や識別情報など）を関連の深さ取得部４、進捗状況取得部５、および表示処理部６に供給する。アプリケーション選定部３に対しては、現在行われている検査を表す情報が所定のタイミングで入力される。
【００２５】
関連の深さ取得部４は、長押しが検出されたときに起動しているアプリケーションを基準としてアプリケーション選定部３により選定されたアプリケーションとの関連の深さを取得する。各検査に必要なアプリケーション、およびアプリケーション同士の関連の深さが医用画像診断装置１の操作者によって予め決められており、それらの情報が関連の深さ取得部４が管理するテーブルに登録されている。例えば、関連の深さ取得部４は、テーブルに登録された情報から、現在行われている検査Ａに必要なアプリケーションとして、アプリケーションａ、アプリケーションｂ、およびアプリケーションｃを選定し、選定したアプリケーションａ、ｂ、ｃと、長押しが検出されたときに起動しているアプリケーションｄとの関連の深さを取得する。
【００２６】
例えば、起動中のアプリケーションの次に必ず起動されるアプリケーションは、関連が深いといえる。反対に、起動中のアプリケーションとは関係なく独立して起動されるアプリケーションは関連が浅い、または関連がないといえる。関連の深さは、例えば、０乃至１００％の数値や任意に定めた５段階の数値等、任意に定めた表現によって表わすことができる。
【００２７】
なお、以下の説明においては、関連の深さに関する理解の便宜上、上述した０乃至１００％の数値や任意に定めた５段階の数値を利用する（５段階表示の場合は、「１」から「５」に向けて関連が深くなるものとする）。また、起動中のアプリケーションを基準とした各アプリケーションとの関連の深さを示す数値は説明のために定めたものであり、自由にその関連の深さを規定することができる。
【００２８】
関連の深さ取得部４は、取得したアプリケーションの関連の深さを表す情報を表示処理部６に供給する。
【００２９】
進捗状況取得部５は、各アプリケーションの進捗状況を監視しており、アプリケーション選定部３により選定されたアプリケーションの進捗状況を取得する。アプリケーションの進捗状況は、例えば０乃至１００％の数値で表現される。進捗状況取得部５は、取得したアプリケーションの進捗状況を表す情報を表示処理部６に供給する。
【００３０】
表示処理部６は、アプリケーション選定部３より供給されたアプリケーションの情報から、アプリケーションを識別することができるアイコンを作成し、関連の深さ取得部４より供給されたアプリケーションの関連の深さを表す情報に応じて表示部１ｈの画面上に配置する。また表示処理部６は、進捗状況取得部５より供給されたアプリケーションの進捗状況を表す情報に応じて、表示部１ｈの画面に配置したアイコン上に、進捗状況を視覚的に表示させる。
【００３１】
次に、図３のフローチャートを参照して、進捗管理アプリケーションが実行する表示制御処理について説明する。ここでは、例えば虚血性心疾患の検査が行われており、ストレスエコー収集アプリケーションが起動しているものとする。また現在のストレスエコー収集アプリケーションの起動中、表示部１ｈにはストレスエコーによって収集される画像等が表示されているが、説明の便宜のため、図４では画像等に替えてこの状態を示す表示として「ストレスエコー収集アプリケーション起動中・・・」との文言を示している。
【００３２】
ステップＳ１において、操作検出部２は、図４に示す画面上でマウスのホイールボタンが長押しされたことを検出したか否かを判定し、マウスのホイールボタンが長押しされたことを検出するまで待機する。そして、操作検出部２は、マウスのホイールボタンが長押しされたことを検出した場合、その検出結果をアプリケーション選定部３に供給する。
【００３３】
ステップＳ２において、アプリケーション選定部３は、現在行われている検査に必要なアプリケーションを選定する。例えば、虚血性心疾患の検査に必要なアプリケーションとして、撮影予約アプリケーション、検査予約アプリケーション、印刷アプリケーション、メディア保存アプリケーション、検査Viewerアプリケーション、患者情報転送アプリケーション、レポート作成アプリケーション、通常計測アプリケーション、およびストレス計測アプリケーションが選定される。
【００３４】
ステップＳ３において、関連の深さ取得部４は、ステップＳ１の処理でマウスのホイールボタンの長押しが検出されたときに起動しているアプリケーションを基準として、このアプリケーションとステップＳ２の処理で選定されたアプリケーションとの関連の深さを取得する。
【００３５】
例えば、血性心疾患の検査に必要なアプリケーションとして取得されたアプリケーションのうち、撮影予約アプリケーションとストレス計測アプリケーションは、ストレスエコー収集アプリケーションとの関連の深さが５段階の１であることが取得される。つまり、撮影予約アプリケーションとストレス計測アプリケーションは、ストレスエコー収集アプリケーション起動中に選択することができないため、関連が浅い。
【００３６】
また、検査予約アプリケーション、印刷アプリケーション、メディア保存アプリケーション、患者情報転送アプリケーション、レポート作成アプリケーション、および通常計測アプリケーションは、ストレスエコー収集アプリケーションとの関連の深さが５段階の３であることが取得される。つまり、検査予約アプリケーション、印刷アプリケーション、メディア保存アプリケーション、患者情報転送アプリケーション、レポート作成アプリケーション、および通常計測アプリケーションは、ストレスエコー収集アプリケーション起動中に選択することができるため、関連がある。
【００３７】
さらに、検査Viewerアプリケーションは、ストレスエコー収集アプリケーションとの関連の深さが５段階の５であることが取得される。つまり、検査Viewerアプリケーションは、ストレスエコー収集アプリケーションにより収集された断層像のズームインやズームアウトなどを行うために選択されるものであるため、最も関連が深い。
【００３８】
ステップＳ４において、進捗状況取得部５は、ステップＳ２の処理で選定された各アプリケーションの進捗状況を取得する。例えば、検査予約アプリケーションの進捗状況は、１００％である（つまり終了している）ことが取得される。また、患者情報転送アプリケーションの進捗状況は８０％、レポート作成アプリケーションの進捗状況は５０％、通常計測アプリケーションの進捗状況は２０％であることが取得される。
【００３９】
ステップＳ２の処理で選定されたアプリケーションの情報、ステップＳ３の処理で取得されたアプリケーション同士の関連の深さを表す情報、およびステップＳ４の処理で取得されたアプリケーションの進捗状況を表す情報は表示処理部６に供給される。
【００４０】
ステップＳ５において、表示処理部６は、ステップＳ２の処理で選定されたアプリケーションの情報から、アプリケーションを識別することができるアイコンを作成し、ステップＳ３の処理で取得されたアプリケーションの関連の深さを表す情報に応じて表示部１ｈの画面に配置する。また表示処理部６は、ステップＳ４の処理で取得されたアプリケーションの進捗状況を表す情報に応じて、アイコン上に進捗状況を視覚的に表示させる。
【００４１】
図５は、進捗管理アプリケーションによって表示部１ｈに表示される各アプリケーションの進捗状況を管理する画面の例を示す図である。
【００４２】
図５に示すように、現在起動中のアプリケーションであるストレスエコー収集アプリケーションのアイコンＡ１が画面中心に配置され、その周囲に、撮影予約アプリケーションのアイコンＡ２、検査予約アプリケーションのアイコンＡ３、印刷アプリケーションのアイコンＡ４、メディア保存アプリケーションのアイコンＡ５、検査ViewerアプリケーションのアイコンＡ６、患者情報転送アプリケーションのアイコンＡ７、レポート作成アプリケーションのアイコンＡ８、通常計測アプリケーションのアイコンＡ９、およびストレス計測アプリケーションのアイコンＡ１０が配置されている。図５の例においては、各アプリケーションのアイコンとして矩形のアイコンが表示されている。
【００４３】
検査Viewerアプリケーションはストレスエコー収集アプリケーションと最も関連が深いため、検査ViewerアプリケーションのアイコンＡ６は、ストレスエコー収集アプリケーションのアイコンＡ１の最も近傍に配置される。
【００４４】
検査予約アプリケーション、印刷アプリケーション、メディア保存アプリケーション、患者情報転送アプリケーション、レポート作成アプリケーション、および通常計測アプリケーションは、検査Viewerアプリケーションの次にストレスエコー収集アプリケーションと関連が深いため、それらのアイコンＡ３，Ａ４，Ａ５，Ａ７，Ａ８，Ａ９は、アイコンＡ１の周辺に配置される。
【００４５】
撮影予約アプリケーションとストレス計測アプリケーションは、ストレスエコー収集アプリケーションと関連がないため、それらのアイコンＡ１，Ａ１０は、アイコンＡ１から最も遠い位置に配置される。さらにこのタイミングではアプリケーションの実行ができないことを表す表示（図５の例では、×印）がなされている。
【００４６】
また、検査予約アプリケーションは既にその起動が終了しているので進捗状況が１００％であり、該当するアイコンＡ３は、矩形全体が網掛け表示とされる。患者情報転送アプリケーションは進捗状況が８０％であり、アイコンＡ７は、矩形全体のほぼ８０％が網掛け表示とされる。さらに通常計測アプリケーションは進捗状況が２０％であり、アイコンＡ９は、矩形全体のほぼ２０％が網掛け表示とされる。
【００４７】
なお、図５に示す各アイコンの配置位置は、あくまで一例であり、医用画像診断装置１の操作者によって任意に変更することが可能である。また、図５の例では、アイコンＡ１乃至Ａ１０が表示されているが、表示されるアイコンは、検査の種類や内容などにより異なるため、この限りではない。すなわち、検査の種類や内容などに応じて、アプリケーションの進捗状況やアプリケーションの選択可或いは、不可などが視覚的に表現される。
【００４８】
例えば、図５に示す画面において、現在起動中のストレスエコー収集アプリケーションの進捗状況が１００％になった（終了した）とき、ストレスエコー収集アプリケーションのアイコンＡ１は、図６に示すように、矩形全体が網掛け表示になる。またストレスエコー収集アプリケーションが終了したことにより、ストレス計測アプリケーションが選択可能になるため、そのアイコンＡ１０が、ストレスエコー収集アプリケーションのアイコンＡ１の近傍に配置されるように切り替わる。虚血性心疾患の検査は、ストレスエコーの収集、ストレスの計測、・・・の順に行われるため、ストレスエコーの収集を行うストレスエコー収集アプリケーションが終了したとき、通常、ストレス計測アプリケーションが次に実行されるアプリケーションになる。さらにバックグラウンド処理されていた患者情報転送アプリケーションは、進捗状況が１００％になったことにより、ストレスエコー収集アプリケーションとの関連がなくなり、そのアイコンＡ７は、アイコンＡ１から最も遠い位置に配置されるように切り替わる。
【００４９】
このように、現在起動中のアプリケーションのアイコンを中心にして、その検査において必要とされるアプリケーションの全てがそのアプリケーションとの関連の深さに応じてアイコンを介して配置されるから、操作者は、次に処理すべきアプリケーションを一目で判断することができる。また、アイコン上に進捗状況を視覚的に表示させるようにしたため、操作者は、アプリケーションの進捗状況の管理も同時に行うことができる。
【００５０】
さらにマウスを操作してマウスポインタＰを所望のアイコン上に移動させ、そこでダブルクリックして選択することにより、容易にアプリケーションを切り替えることができる。
【００５１】
例えば、図６に示す画面において、ストレス計測アプリケーションのアイコンＡ１０が選択されたとき、表示部１ｈには、ストレス計測アプリケーションが起動される（不図示）。この起動に伴ってストレス計測アプリケーションの画面が表示される（表示される画面としては図４参照）。そして、このストレス計測アプリケーションが起動されている画面上でマウスのホイールボタンが長押しされたとき（ステップＳ１）、現在行われている検査に必要なアプリケーションが選定され（ステップＳ２）、現在起動中のストレス計測アプリケーションと選定したアプリケーションとの関連の深さが取得され（ステップＳ３）、選定したアプリケーションの進捗状況が取得され（ステップＳ４）、各アプリケーションのアイコンにアプリケーション同士の関連の深さや進捗状況が反映されて、図７に示すような画面が表示部１ｈに表示される（ステップＳ５）。
【００５２】
この場合図７に示すように、現在起動中のアプリケーションであるストレス計測アプリケーションのアイコンＡ１０が画面中心に配置され、処理が終了したストレスエコー収集アプリケーションのアイコンＡ１は、アイコンＡ１０から遠い位置に配置される。
【００５３】
以上の構成を採用することによって、検査に必要な全てのアプリケーションを一目で把握することができるように表示するとともにアプリケーションをある特定のアプリケーションを基準としてそのアプリケーションとの関連の深さに応じて配置し、さらに、表示されたアプリケーションからはその進捗状況が視覚的に把握できるようにした医用画像診断装置およびその制御プログラムを提供することができる。
【００５４】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【００５５】
例えば、以上においては、所定のアプリケーションが起動されている画面上でマウスのホイールボタンが長押しされたとき、図５に示す各プリケーションの進捗状況を管理する画面を表示させるようにしたが、図８に示すように、医用画像診断装置１の表示部１ｈがワイドモニタの場合には、検査画面Ｗ１の横に並べて、各アプリケーションの進捗状況を管理する画面Ｗ２を表示させるようにすることができる。これにより、操作者は、検査を行いつつ、全体の進捗状況を管理することができる。
【００５６】
また例えば、図９に示すように、医用画像診断装置１が表示部１ｈの他にタッチパネルなどのサブウィンドウＳＷを備えている場合には、そのサブウィンドウＳＷにアプリケーションの進捗状況を管理する画面Ｗ２を表示させるようにすることができる。これにより、ワイドモニタと同様に、操作者は、検査を行いつつ全体の進捗状況を管理することができる。
【００５７】
さらに、以上において各アプリケーションの進捗状況を管理する画面を表示させる場合に、現在起動中のアプリケーションのアイコンを画面中心に配置し、その周辺に検査に必要なアプリケーションのアイコンを関連の深さに応じて配置するようにしたが、これに限らず、例えば、図１０に示すように、現在起動中のアプリケーションのアイコンを画面左上方に配置し、検査に必要なアプリケーションのアイコンを関連の深さに応じて配置するようにしてもよい。図１０の例の場合、画面左側にあるアイコンのアプリケーションほど、ストレスエコー収集アプリケーションＡ１との関連が深く、画面右側にあるアイコンのアプリケーションほど、ストレスエコー収集アプリケーションＡ１との関連が低くなっている。
【図面の簡単な説明】
【００５８】
【図１】本発明に係る医用画像診断装置の構成例を示す図である。
【図２】医用画像診断装置の機能構成例を示すブロック図である。
【図３】表示制御処理を説明するフローチャートである。
【図４】表示部に表示される画面の例を示す図である。
【図５】図４の画面上でマウスのホイールボタンが長押しされたときに表示部に表示される画面の例を示す図である。
【図６】図５の画面でストレスエコー収集アプリケーションが終了したときに表示部に表示される画面の例を示す図である。
【図７】図５の画面上でストレス計測アプリケーションのアイコンが選択されたときに表示部に表示される画面の例を示す図である。
【図８】ワイドモニタに表示される画面の例を示す図である。
【図９】サブウィンドウを備えた医用画像診断装置の外観例を示す図である。
【図１０】表示部に表示される他の画面の例を示す図である。
【符号の説明】
【００５９】
１  医用画像診断装置
２  操作検出部
３  アプリケーション選定部
４  関連の深さ取得部
５  進捗状況取得部
６  表示処理部
【図１】
0005161646.tif 000002
【図２】
0005161646.tif 000003
【図３】
0005161646.tif 000004
【図４】
0005161646.tif 000005
【図５】
0005161646.tif 000006
【図６】
0005161646.tif 000007
【図７】
0005161646.tif 000008
【図８】
0005161646.tif 000009
【図９】
0005161646.tif 000010
【図１０】
0005161646.tif 000011